(57)【要約】      （修正有）【課題】無線接続機能を提供する複数の画像処理装置が存在する場合において、情報処理端末から画像処理装置への無線接続時の操作負担を軽減する。【解決手段】画像処理システムは、クライアント端末２からの印刷出力命令を受けて印刷出力を実行すると共に、無線通信アクセスポイントを提供する複数の画像処理装置１と、画像処理装置１との間で無線通信接続を行って印刷ジョブを送信するクライアント端末２とを含む。クライアント端末は、複数の画像処理装置によって提供されるＳＳＩＤ（Ｓｅｒｖｉｃｅ  Ｓｅｔ  ＩＤ）の電波の強度に関する情報を取得し、電波の強度に関する情報に基づいて夫々の画像処理装置との距離を計算し、計算された距離が所定の閾値以内である画像処理装置によって提供されているＳＳＩＤに接続する。【選択図】図１２
2016161977.tif 000002
【特許請求の範囲】
【請求項１】
情報処理端末からの印刷出力命令を受けて印刷出力を実行すると共に、前記情報処理端末に対して無線通信による情報の送受信機能を提供する複数の画像処理装置及び前記画像処理装置との間で無線通信を行い、前記画像処理装置に対して印刷出力命令を送信する情報処理端末を含む画像処理システムであって、
前記情報処理端末は、
複数の前記画像処理装置によって提供される無線通信の電波の強度に関する情報を取得する電波強度情報取得部と、
複数の前記画像処理装置夫々について取得された前記電波の強度に関する情報に基づいて夫々の前記画像処理装置との距離を計算する距離計算部と、
夫々の前記画像処理装置について計算された前記距離が所定の閾値以内である画像処理装置によって提供されている無線通信に接続する接続処理部とを含むことを特徴とする画像処理システム。
【請求項２】
前記接続処理部は、前記距離が所定の閾値以内である画像処理装置が複数である場合に、前記距離が最も短い画像処理装置によって提供されている無線通信に接続することを特徴とする請求項１に記載の画像処理システム。
【請求項３】
前記接続処理部は、前記距離が所定の閾値以内である画像処理装置が複数である場合に、複数の前記画像処理装置夫々に対して設定された優先度の情報を参照し、優先度の最も高い画像処理装置によって提供されている無線通信に接続することを特徴とする請求項１または２に記載の画像処理システム。
【請求項４】
複数の前記画像処理装置夫々において搭載されている機能を示す搭載機能情報を参照し、無線通信接続する先の画像処理装置に求められる機能に基づいて接続対象の画像処理装置を絞り込む絞り込み部を含み、
前記距離計算部は、絞り込まれた前記画像処理装置との距離を計算することを特徴とする請求項１乃至３いずれか１項に記載の画像処理システム。
【請求項５】
前記絞り込み部は、無線通信接続する先の画像処理装置において必須である機能及び推奨される機能に基づき、必須である機能及び推奨される機能の両方を搭載している前記画像処理装置が存在しない場合には、少なくとも前記必須である機能を搭載している画像処理装置を抽出して絞り込むことを特徴とする請求項４に記載の画像処理システム。
【請求項６】
前記接続処理部は、接続した無線通信を提供している前記画像処理装置の状態を示す情報を取得し、前記画像処理装置において障害が発生している場合には、他の画像処理装置によって提供されている無線通信に接続することを特徴とする請求項１乃至４いずれか１項に記載の画像処理システム。
【請求項７】
前記情報処理装置が位置を移動したことが検知された場合に、前記電波の強度に関する情報の取得及び取得した前記電波の強度に関する情報に基づく前記距離の計算を実行し、接続対象の無線通信を切り替えることを特徴とする請求項１乃至６いずれか１項に記載の画像処理システム。
【請求項８】
情報処理端末からの印刷出力命令を受けて印刷出力を実行すると共に、前記情報処理端末に対して無線通信による情報の送受信機能を提供する複数の画像処理装置との間で無線通信接続を行って前記印刷出力命令を送信する情報処理端末であって、
複数の前記画像処理装置によって提供される無線通信の電波の強度に関する情報を取得する電波強度情報取得部と、
複数の前記画像処理装置夫々について取得された前記電波の強度に関する情報に基づいて夫々の前記画像処理装置との距離を計算する距離計算部と、
夫々の前記画像処理装置について計算された前記距離が所定の閾値以内である画像処理装置によって提供されている無線通信に接続する接続処理部とを含むことを特徴とする情報処理端末。
【請求項９】
情報処理端末からの印刷出力命令を受けて印刷出力を実行すると共に、前記情報処理端末に対して無線通信による情報の送受信機能を提供する複数の画像処理装置との間で無線通信接続を行って前記印刷出力命令を送信する情報処理端末の制御方法であって、
複数の前記画像処理装置によって提供される無線通信の電波の強度に関する情報を取得し、
複数の前記画像処理装置夫々について取得された前記電波の強度に関する情報に基づいて夫々の前記画像処理装置との距離を計算し、
夫々の前記画像処理装置について計算された前記距離が所定の閾値以内である画像処理装置によって提供されている無線通信に接続することを特徴とする情報処理端末の制御方法。
【請求項１０】
情報処理端末からの印刷出力命令を受けて印刷出力を実行すると共に、前記情報処理端末に対して無線通信による情報の送受信機能を提供する複数の画像処理装置との間で無線通信接続を行って前記印刷出力命令を送信する情報処理端末の制御プログラムであって、
複数の前記画像処理装置によって提供される無線通信の電波の強度に関する情報を取得するステップと、
複数の前記画像処理装置夫々について取得された前記電波の強度に関する情報に基づいて夫々の前記画像処理装置との距離を計算するステップと、
夫々の前記画像処理装置について計算された前記距離が所定の閾値以内である画像処理装置によって提供されている無線通信に接続するステップとをコンピュータに実行させることを特徴とする情報処理端末の制御プログラム。
【発明の詳細な説明】
【技術分野】
【０００１】
本発明は、画像処理システム、情報処理端末、情報処理端末の制御方法及び制御プログラムに関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
このような画像処理装置においては、ＰＣ（Ｐｅｒｓｏｎａｌ  Ｃｏｍｐｕｔｅｒ）等の情報処理装置から画像情報を含む印刷出力の命令（以降、「印刷ジョブ」とする）を受信し、受信した画像情報に基づいて印刷出力を実行する。このような印刷ジョブを、スマートホンやタブレット端末等の携帯端末から画像処理装置に送信する場合、画像処理装置によって提供される無線通信機能に携帯端末が無線接続して印刷ジョブを送信する方法が用いられる場合がある。
【０００４】
このような無線接続を利用した機能として、ユーザが画像処理装置の位置に到着するタイミングを予測した上で、そのタイミングに合わせて印刷ジョブを実行する方法が提案されている（例えば、特許文献１参照）。
【発明の概要】
【発明が解決しようとする課題】
【０００５】
特許文献１においては、１台の画像処理装置を携帯端末から利用することを前提として、無線接続により利便性を向上することが考慮されているが、複数の画像処理装置を使い分ける場合がある。そして、複数の画像処理装置によって夫々無線接続が提供されている場合、携帯端末のユーザは、対象の画像処理装置に接続するための操作を行った上で装置を利用する必要があるため、操作の手間がかかる。
【０００６】
本発明は、このような課題を解決するためになされたものであり、無線接続機能を提供する複数の画像処理装置が存在する場合において、情報処理端末から画像処理装置への無線接続時の操作負担を軽減することを目的とする。
【課題を解決するための手段】
【０００７】
上記課題を解決するために、本発明の一態様は、情報処理端末からの印刷出力命令を受けて印刷出力を実行すると共に、前記情報処理端末に対して無線通信による情報の送受信機能を提供する複数の画像処理装置及び前記画像処理装置との間で無線通信を行い、前記画像処理装置に対して印刷出力命令を送信する情報処理端末を含む画像処理システムであって、前記情報処理端末は、複数の前記画像処理装置によって提供される無線通信の電波の強度に関する情報を取得する電波強度情報取得部と、複数の前記画像処理装置夫々について取得された前記電波の強度に関する情報に基づいて夫々の前記画像処理装置との距離を計算する距離計算部と、夫々の前記画像処理装置について計算された前記距離が所定の閾値以内である画像処理装置によって提供されている無線通信に接続する接続処理部とを含むことを特徴とする。
【発明の効果】
【０００８】
本発明によれば、無線接続機能を提供する複数の画像処理装置が存在する場合において、情報処理端末から画像処理装置への無線接続時の操作負担を軽減することができる。
【図面の簡単な説明】
【０００９】
【図１】本発明の実施形態に係る画像処理システムの運用形態を示す図である。
【図２】本発明の実施形態に係る情報処理装置のハードウェア構成を模式的に示すブロック図である。
【図３】本発明の実施形態に係る画像処理装置の機能構成を示すブロック図である。
【図４】本発明の実施形態に係るクライアント端末の機能構成を示すブロック図である。
【図５】本発明の実施形態に係るクライアント端末の近距離通信制御部の機能構成を示すブロック図である。
【図６】本発明の実施形態に係る電波密度情報の例を示す図である。
【図７】本発明の実施形態に係る装置情報の例を示す図である。
【図８】本発明の実施形態に係る距離の計算結果の情報を示す図である。
【図９】本発明の実施形態に係る機種情報の例を示す図である。
【図１０】本発明の実施形態に係る認証情報の例を示す図である。
【図１１】本発明の実施形態に係るシステム全体の動作を示すシーケンス図である。
【図１２】本発明の実施形態に係るシステムの動作概要を示す図である。
【図１３】本発明の実施形態に係るシステムの動作概要を示す図である。
【図１４】本発明の実施形態に係るクライアント端末の動作を示すフローチャートである。
【図１５】本発明の実施形態に係るＳＳＩＤの絞り込み動作を示すフローチャートである。
【図１６】本発明の実施形態に係る必須機能情報を示す図である。
【図１７】本発明の実施形態に係る必須機能情報の設定画面を示す図である。
【図１８】本発明の実施形態に係る必須機能及び推奨機能の別を示す図である。
【発明を実施するための形態】
【００１０】
以下、図面を参照して、本発明の実施形態を詳細に説明する。図１は、本実施の形態に係る画像処理システムの運用形態の例を示す図である。図１に示すように、本実施形態に係る画像処理システムは、クライアント端末２が複数の画像処理装置１と無線接続可能に構成されている。図１においては、クライアント端末２が複数の画像処理装置１と同時に無線接続されているように図示されているが、クライアント端末２は、複数の画像処理装置１のいずれかとの間で無線接続を確立した上で画像処理装置１の機能を利用する。
【００１１】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。また、本実施形態に係る画像処理装置１は、無線通信の送受信機能であるアクセスポイントとしての機能を有し、クライアント端末２は、画像処理装置１によって提供される無線通信アクセスポイントに接続する。
【００１２】
クライアント端末２は、本実施形態に係る画像処理システムを利用するユーザが携帯して使用する情報処理端末である。本実施形態に係る画像処理システムにおいては、クライアント端末２から画像処理装置１に送信された印刷出力命令（以降、「印刷ジョブ」とする）に基づいて画像処理装置１が印刷出力を実行する。
【００１３】
クライアント端末２が無線通信アクセスポイントに接続する際には、クライアント端末２が夫々の画像処理装置１によって提供されているアクセスポイントのいずれかを選択して接続するため、接続先の選択をユーザに求める必要がある。そのため、印刷ジョブの送信に際して、ユーザはまず先に接続先のアクセスポイントを選択して接続操作を行った上で印刷ジョブの送信操作を行う必要があり、操作の手間となる。そのような操作の手間を解消してユーザの利便性を向上することが本実施形態に係る要旨の１つである。
【００１４】
次に、本実施形態に係る画像処理システムに含まれる夫々の機器である情報処理装置のハードウェア構成について説明する。図２は、本実施形態に係る情報処理装置のハードウェア構成を示すブロック図である。図２に示すように、本実施形態に係る情報処理装置は、一般的なサーバやＰＣ等と同様の構成を含む。
【００１５】
即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像処理装置１の場合、画像形成出力やスキャンを実行するエンジンが含まれる。
【００１６】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００１７】
Ｉ／Ｆ５０は、バス８０と各種のハードウェアやネットワーク等を接続し制御する。ＬＣＤ６０は、各種の情報を表示し、ユーザが情報処理装置の状態を確認するための視覚的ユーザインタフェースである。操作部７０は、キーボード、マウス、ハードボタンやタッチパネル等、ユーザが情報処理装置に情報を入力するためのユーザインタフェースである。
【００１８】
このようなハードウェア構成において、ＲＯＭ３０に格納されたプログラムや、ＨＤＤ４０若しくは図示しない光学ディスク等の記憶媒体からＲＡＭ２０に読み出されたプログラムに従ってＣＰＵ１０が演算を行うことによりソフトウェア制御部が構成される。このようにして構成されたソフトウェア制御部と、ハードウェアとの組み合わせによって、本実施形態に係るスキャン配信システムを構成する各機器の機能を実現する機能ブロックが構成される。
【００１９】
次に、本実施形態に係る画像処理装置１の機能について説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１２０、排紙トレイ１３０、ディスプレイパネル１４０、給紙テーブル１５０、プリントエンジン１６０、排紙トレイ１７０、ネットワークＩ／Ｆ１８０及び近距離通信Ｉ／Ｆ１９０を有する。
【００２０】
また、コントローラ１００は、主制御部１０１、エンジン制御部１０２、入出力制御部１０３、画像処理部１０４及び操作表示制御部１０５を有する。図３に示すように、本実施形態に係る画像処理装置１は、スキャナユニット１２０、プリントエンジン１６０を有する複合機として構成されている。尚、図３においては、電気的接続を実線の矢印で示しており、用紙若しくは文書束の流れを破線の矢印で示している。
【００２１】
ディスプレイパネル１４０は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ネットワークＩ／Ｆ１８０は、画像処理装置１がネットワークを介して管理者用端末等の他の機器と通信するためのインタフェースであり、Ｅｔｈｅｒｎｅｔ（登録商標）やＵＳＢインタフェースが用いられる。
【００２２】
近距離通信Ｉ／Ｆ１９０は、画像処理装置１が近距離無線通信により他の機器と通信するためのインタフェースであり、Ｂｌｕｅｔｏｏｔｈ（登録商標）、ＷｉＦｉ（Ｗｉｒｅｌｅｓｓ  Ｆｉｄｅｌｉｔｙ）等のインタフェースが用いられる。本実施形態においては、ＷｉＦｉインタフェースの場合を例として説明する。近距離通信Ｉ／Ｆ１９０は、クライアント端末２にネットワーク接続を提供するアクセスポイントとしての機能も含む。
【００２３】
コントローラ１００は、ソフトウェアとハードウェアとの組み合わせによって構成される。具体的には、各種のプログラムに従ってＣＰＵ１０が演算を行うことにより構成されるソフトウェア制御部と集積回路などのハードウェアとによってコントローラ１００が構成される。ＣＰＵ１０が演算を行うためのプログラムは、ＲＯＭ３０に格納されたものやＨＤＤ４０等の不揮発性記憶媒体からＲＡＭ２０にロードされたものが用いられる。コントローラ１００は、画像処理装置１全体を制御する制御部として機能する。
【００２４】
主制御部１０１は、コントローラ１００に含まれる各部を制御する役割を担い、コントローラ１００の各部に命令を与える。エンジン制御部１０２は、プリントエンジン１６０やスキャナユニット１２０等を制御若しくは駆動する駆動手段としての役割を担う。入出力制御部１０３は、ネットワークＩ／Ｆ１８０、近距離通信Ｉ／Ｆ１９０を介して入力される信号や命令を主制御部１０１に入力する。また、主制御部１０１は、入出力制御部１０３を制御し、ネットワークＩ／Ｆ１８０や近距離通信Ｉ／Ｆ１９０及びネットワークを介して他の装置にアクセスする。
【００２５】
画像処理部１０４は、主制御部１０１の制御に従い、印刷出力すべき画像情報に基づいて描画情報を生成する。この描画情報とは、画像形成部であるプリントエンジン１６０が画像形成動作において形成すべき画像を描画するための情報である。また、画像処理部１０４は、スキャナユニット１２０から入力される撮像データを処理し、画像データを生成する。この画像データとは、スキャナ動作の結果物として画像処理装置１に格納され若しくはネットワークＩ／Ｆ１８０や近距離通信Ｉ／Ｆ１９０を介して他の機器に送信される情報である。操作表示制御部１０５は、ディスプレイパネル１４０に情報表示を行い若しくはディスプレイパネル１４０を介して入力された情報を主制御部１０１に通知する。
【００２６】
画像処理装置１がプリンタとして動作する場合は、まず、入出力制御部１０３がネットワークＩ／Ｆ１８０若しくは近距離通信Ｉ／Ｆ１９０を介して印刷ジョブを受信する。入出力制御部１０３は、受信した印刷ジョブを主制御部１０１に転送する。主制御部１０１は、受信した印刷ジョブの実行を開始すると、まず画像処理部１０４を制御して印刷ジョブに含まれる文書情報若しくは画像情報に基づいて描画情報を生成する。
【００２７】
画像処理部１０４によって描画情報が生成されると、エンジン制御部１０２は、生成された描画情報に基づき、給紙テーブル１５０から搬送される用紙に対して画像形成を実行する。プリントエンジン１６０の具体的態様としては、インクジェット方式による画像形成機構や電子写真方式による画像形成機構等を用いることが可能である。プリントエンジン１６０によって画像形成が施された文書は排紙トレイ１７０に排紙される。
【００２８】
画像処理装置１がスキャナとして動作する場合は、ユーザによるディスプレイパネル１４０の操作若しくは外部の機器から入力されるスキャン実行指示に応じて、操作表示制御部１０５若しくは入出力制御部１０３が主制御部１０１にスキャン実行信号を転送する。主制御部１０１は、受信したスキャン実行信号に基づき、エンジン制御部１０２を制御する。エンジン制御部１０２は、ＡＤＦ１１０を駆動し、ＡＤＦ１１０にセットされた撮像対象原稿をスキャナユニット１２０に搬送する。
【００２９】
また、エンジン制御部１０２は、スキャナユニット１２０を駆動し、ＡＤＦ１１０から搬送される原稿を撮像する。また、ＡＤＦ１１０に原稿がセットされておらず、スキャナユニット１２０に直接原稿がセットされた場合、スキャナユニット１２０は、エンジン制御部１０２の制御に従い、セットされた原稿を撮像する。即ち、スキャナユニット１２０が撮像部として動作する。
【００３０】
撮像動作においては、スキャナユニット１２０に含まれるＣＣＤ等の撮像素子が原稿を光学的に走査し、光学情報に基づいた撮像情報が生成される。エンジン制御部１０２は、スキャナユニット１２０が生成した撮像情報を画像処理部１０４に転送する。画像処理部１０４は、主制御部１０１の制御に従い、エンジン制御部１０２から受信した撮像情報に基づき画像情報を生成する。
【００３１】
画像処理部１０４が生成した画像情報はＨＤＤ４０等の画像処理装置１に装着された記憶媒体に保存される。画像処理部１０４によって生成された画像情報は、ユーザの指示に応じてそのままＨＤＤ４０等に格納され若しくはネットワークＩ／Ｆ１８０、近距離通信Ｉ／Ｆ１９０を介して、入出力制御部１０３により外部の装置に送信される。
【００３２】
また、画像処理装置１が複写機として動作する場合は、エンジン制御部１０２がスキャナユニット１２０から受信した撮像情報若しくは画像処理部１０４が生成した画像情報に基づき、画像処理部１０４が描画情報を生成する。その描画情報に基づいてプリンタ動作の場合と同様に、エンジン制御部１０２がプリントエンジン１６０を駆動する。
【００３３】
次に、本実施形態に係るクライアント端末２の機能構成について、図４を参照して説明する。図４に示すように、本実施形態に係るクライアント端末２は、図２において説明したＬＣＤ６０、操作部７０に加えて、コントローラ２００、ネットワークＩ／Ｆ２１０及び近距離通信Ｉ／Ｆ２２０を含む。また、コントローラ２００は、ネットワーク制御部２０１、操作制御部２０２、表示制御部２０３、近距離通信制御部２０４及びクライアントアプリケーション２０５を含む。
【００３４】
ネットワークＩ／Ｆ２１０は、クライアント端末２がネットワークを介して他の機器と通信するためのインタフェースであり、Ｅｔｈｅｒｎｅｔ（登録商標）等のインタフェースが用いられる。近距離通信Ｉ／Ｆ２２０は、クライアント端末２が近距離無線通信により他の機器と通信するためのインタフェースであり、Ｂｌｕｅｔｏｏｔｈ（登録商標）、ＷｉＦｉ（Ｗｉｒｅｌｅｓｓ  Ｆｉｄｅｌｉｔｙ）等のインタフェースが用いられる。ネットワークＩ／Ｆ２１０、近距離通信Ｉ／Ｆ２２０は、図２に示すＩ／Ｆ５０によって実現される。
【００３５】
コントローラ２００は、ソフトウェアとハードウェアとの組み合わせによって構成される。コントローラ２００は、クライアント端末２全体を制御する制御部である。ネットワーク制御部２０１は、ネットワークＩ／Ｆ２１０を介して入力される情報を取得すると共に、ネットワークＩ／Ｆ２１０を介して他の機器に情報を送信する。
【００３６】
近距離通信制御部２０４は、近距離通信Ｉ／Ｆ２２０を介して入力される情報を取得すると共に、近距離通信Ｉ／Ｆ２２０を介して他の機器に情報を送信する。また、本実施形態に係る近距離通信制御部２０４は、複数の画像処理装置１夫々がアクセスポイントとして機能することにより発信する無線通信の電波に関する情報を近距離通信Ｉ／Ｆ２２０から取得し、接続先のアクセスポイントを選択する機能を有する。これについては後述する。
【００３７】
操作制御部２０２は、操作部７０に対するユーザによる操作内容の信号を取得し、クライアントアプリケーション２０５等のクライアント端末２において動作するモジュールに入力する。表示制御部２０３は、クライアントアプリケーション２０５のＧＵＩ（Ｇｒａｐｈｉｃａｌ  Ｕｓｅｒ  Ｉｎｔｅｒｆａｃｅ）等、クライアント端末２の状態をＬＣＤ６０に表示させる。
【００３８】
クライアントアプリケーション２０５は、クライアント端末２において各種の機能を提供するソフトウェアモジュールであり、夫々の機能に対応したソフトウェア・プログラムによって構成される。クライアントアプリケーション２０５には、近距離無線通信を介して画像処理装置１に対して印刷ジョブを送信する機能を提供するソフトウェアモジュールが含まれる。
【００３９】
次に、本実施形態に係る近距離通信制御部２０４の詳細な機能構成について図５を参照して説明する。図５に示すように、本実施形態に係る近距離通信制御部２０４は、Ｉ／Ｆ制御部２４１、データ受信部２４２、データ送信部２４３及び接続処理部２４４を含む。
【００４０】
Ｉ／Ｆ制御部２４１は、近距離通信Ｉ／Ｆ２２０を制御し、無線通信によるデータの送受信や、近距離通信Ｉ／Ｆ２２０が検知した無線通信電波に関する情報の取得を行う。データ受信部２４２は、無線通信によりクライアント端末２に送信されたデータをＩ／Ｆ制御部２４１を介して取得し、クライアントアプリケーション２０５に受け渡す。
【００４１】
データ送信部２４３は、クライアント端末２が無線通信により送信するデータをクライアントアプリケーション２０５から取得し、Ｉ／Ｆ制御部２４１を介して送信する。接続処理部２４４は、Ｉ／Ｆ制御部２４１によって取得された無線通信電波の情報に基づき、複数の画像処理装置１によって夫々提供されているアクセスポイントのうち接続するべきアクセスポイントを選択して接続する。
【００４２】
図５に示すように、接続処理部２４４は、電波密度計算部２４５、距離計算部２４６、装置情報ＤＢ２４７、接続先判断部２４８及び認証情報ＤＢ２４９を含む。電波密度計算部２４５は、各画像処理装置１が提供するアクセスポイント機能のために発信する無線通信電波の強度の情報をＩ／Ｆ制御部２４１から取得し、その情報に基づいて図６に示すように各アクセスポイントの電波密度を計算する。図６に示す情報が、無線通信の電波の強度に関する情報として用いられる。
【００４３】
距離計算部２４６は、電波密度計算部２４５によって計算された各アクセスポイントの電波密度と、装置情報ＤＢ２４７に保存されている各画像処理装置１の元の電波強度の情報とに基づき、クライアント端末２から各画像処理装置１への距離を計算する。装置情報ＤＢ２４７は、各画像処理装置１の情報や、画像処理装置１の機種毎の機能の情報を記憶している。
【００４４】
図７は、装置情報ＤＢ２４７が記憶している情報のうち、各画像処理装置１の情報である個別装置情報を示す図である。図７に示すように、本実施形態に係る個別装置情報は、“ＳＳＩＤ（Ｓｅｒｖｉｃｅ  Ｓｅｔ  ＩＤ）”、“ＭＡＣアドレス”、“ネットワークキー”、“機種”、“電波強度”及び“優先度”の情報を含む。
【００４５】
“ＳＳＩＤ”は、ＷｉＦｉ（登録商標）接続の場合において、夫々の画像処理装置１が提供するアクセスポイントを識別する識別子である。Ｂｌｕｅｔｏｏｔｈ（登録商標）接続の場合には、Ｂｌｕｅｔｏｏｔｈ（登録商標）のアクセスポイントを識別するための識別子が用いられる。“ＭＡＣアドレス”は、夫々の画像処理装置１のハードウェアを識別する識別子である。“ネットワークキー”は、夫々の画像処理装置１が提供するアクセスポイントに接続するために必要な認証情報である。
【００４６】
“機種”は、夫々の画像処理装置１の機種を示す情報である。“電波強度”は、夫々の画像処理装置１が提供するアクセスポイント機能のために発信している電波の元々の強度を示す情報である。“優先度”は、夫々の画像処理装置１を接続先として選択する際の優先順位を示す情報である。
【００４７】
ここで、距離計算部２４６によるクライアント端末２と各画像処理装置１との距離Ｌの計算方法について具体的に説明する。クライアント端末２の位置における電波密度ＳＬ、画像処理装置１とクライアント端末２との距離Ｌ、画像処理装置１が発した電波の元々の強度である電波強度Ｊ０の間には、以下の式（１）の関係が成り立つ。
2016161977.tif 000003
【００４８】
従って、距離計算部２４６は、上記式（１）を画像処理装置１とクライアント端末２との距離Ｌについて解いた以下の式（２）の計算により、画像処理装置１とクライアント端末２との距離Ｌを求める。距離計算部２４６は、このような計算により、図８に示すように夫々の画像処理装置１によって提供されているＳＳＩＤ毎に距離Ｌを求め、接続先判断部２４８に入力する。
2016161977.tif 000004
【００４９】
図９は、本実施形態に係る装置情報ＤＢ２４７が記憶している情報のうち、画像処理装置１の機種毎の機能の情報である機種情報を示す図である。図９に示すように、本実施形態に係る機種情報においては、図７の“機種”を特定する情報毎に、「カラー」、「両面印刷」等の機能を特定する情報が記述されている。即ち、図９に示す機種情報が搭載機能情報として用いられる。これにより、夫々の画像処理装置１がどのような機能に対応しているかが分かる。
【００５０】
接続先判断部２４８は、距離計算部２４６から取得した各画像処理装置１とクライアント端末２との距離の情報に基づき、接続先のアクセスポイントを決定して、無線通信の接続処理を行う。本実施形態に係る接続先判断部２４８は、図８に示すような情報を取得して、“距離”が最も短い“ＳＳＩＤ”を選択して接続先とする。
【００５１】
そして、選択した“ＳＳＩＤ”及び“ネットワークキー”を利用して選択したＳＳＩＤのアクセスポイントとの間で無線通信接続を確立すると共に、認証情報ＤＢ２４９に記憶されている情報に基づいて画像処理装置１にログインするための処理を行う。認証情報ＤＢ２４９は、クライアント端末２のユーザが画像処理装置１を利用するための情報である認証情報を記憶している。
【００５２】
図１０は、本実施形態に係る認証情報の例を示す図である。図１０に示すように、認証情報は、クライアント端末２のユーザを識別するための“ユーザＩＤ”及びユーザを認証するための“パスワード”の情報を含む。これらの情報は、画像処理装置１においてユーザが機能を利用するために必要なログイン認証において用いられる。
【００５３】
尚、図１０においては、“ユーザＩＤ”及び“パスワード”を１組のみ示しているが、夫々の画像処理装置１においてログイン認証に必要な“ユーザＩＤ”及び“パスワード”が異なる場合、利用される画像処理装置１の数に応じた組み合わせが記憶される。その場合、夫々の“ユーザＩＤ”及び“パスワード”の組み合わせは、上述した“ＳＳＩＤ”や“ＭＡＣアドレス”等の画像処理装置１を識別可能な情報と関連付けて記憶される。
【００５４】
次に、本実施形態に係る画像処理システムの全体動作について図１１を参照して説明する。図１１に示すように、本実施形態に係る画像処理システムの動作において、まずはクライアント端末２が、各画像処理装置１が提供する無線通信アクセスポイントのＳＳＩＤの電波密度を取得する（Ｓ１１０１）。
【００５５】
Ｓ１１０１においては、図５において説明したように電波密度計算部２４５が夫々のＳＳＩＤの電波強度に基づいて電波密度を取得する。電波密度を取得したクライアント端末２は、取得した電波密度に基づいて夫々のＳＳＩＤを提供している画像処理装置１との距離を計算する（Ｓ１１０２）。
【００５６】
Ｓ１１０２においては、図５において説明したように距離計算部２４６が、夫々のＳＳＩＤの電波密度に基づいて各画像処理装置１との距離を計算する。尚、距離計算部２４６は、取得した全ての電波密度の情報に基づいて距離を計算するのではなく、所定の条件に従ってＳＳＩＤの除外処理を行った上で、残ったＳＳＩＤについてのみ距離を計算する。
【００５７】
各画像処理装置１との距離を計算したクライアント端末２は、その計算結果に基づき、無線通信を確立する対象の画像処理装置１を選択する（Ｓ１１０３）。Ｓ１１０３においては、図５において説明した接続先判断部２４８が、距離計算部２４６による計算結果に基づき、最も近接している画像処理装置１によって提供されているＳＳＩＤを選択する。
【００５８】
接続先を選択したクライアント端末２は、選択したＳＳＩＤとの間に無線通信接続を確立する（Ｓ１１０４）。図１２は、最も近接している画像処理装置１との間に無線通信接続を確立した上を示す図である。
【００５９】
本実施形態に係る画像処理システムにおいては、クライアント端末２から所定の範囲Ｌｔｈ以内にある画像処理装置１のみが接続対象となる。これにより、クライアント端末２に対して電波は届くが、比較的遠くに設置されており、利用する可能性の低い画像処理装置１との間で不要な無線通信接続が確立されてしまうことを防ぐことが出来る。この範囲Ｌｔｈの閾値としての設定は、予め定められた値でも良いし、ユーザによって設定された値でも良い。
【００６０】
その後、クライアント端末２に設けられた振動センサやＧＰＳ（Ｇｌｏｂａｌ  Ｐｏｓｉｔｉｏｎｉｎｇ  Ｓｙｓｔｅｍ）等の位置センサに基づいて移動が検知されると（Ｓ１１０５）、クライアント端末２は、Ｓ１１０１〜Ｓ１１０４と同様の処理を繰り返し実行する（Ｓ１１０６〜Ｓ１１０９）。
【００６１】
図１３は、クライアント端末２が移動した結果、他の画像処理装置１との間で無線通信接続を確立した状態を示す図である。このような処理により、最も使う可能性の高い画像処理装置１に接続された状態を常に保つことが可能である。
【００６２】
次に、本実施形態に係るクライアント端末２の詳細な動作について図１４を参照して説明する。図１４に示すように、まずはＩ／Ｆ制御部２４１が、クライアント端末２において受信可能な無線通信接続の電波を近距離通信Ｉ／Ｆ２２０の機能を用いて検索する（Ｓ１４０１）。Ｉ／Ｆ制御部２４１は、１つ以上のＳＳＩＤについての電波が受信されるまで検索を繰り返し実行する（Ｓ１４０２／ＮＯ）。
【００６３】
電波が受信されると（Ｓ１４０２）、Ｉ／Ｆ制御部２４１は、受信した電波の強度の情報を電波密度計算部２４５に入力する。そして、電波密度計算部２４５が、Ｉ／Ｆ制御部２４１から取得した電波強度の情報に基づいて夫々のＳＳＩＤの電波密度を計算する（Ｓ１４０３）。これにより、図６において説明した情報が生成され、電波密度計算部２４５から距離計算部２４６に受け渡される。即ち、電波密度計算部２４５が電波強度情報取得部として機能する。
【００６４】
距離計算部２４６は、電波密度計算部２４５から取得した電波密度の情報に基づき、まず距離の計算対象とするＳＳＩＤを絞り込む（Ｓ１４０４）。即ち、Ｓ１４０４においては、距離計算部２４６が絞り込み部として機能する。ここで、Ｓ１４０４におけるＳＳＩＤの絞り込み処理の詳細な動作について図１５を参照して説明する。距離計算部２４６は、まず接続対象の画像処理装置１に求められる機能を示す必要機能情報を取得する（Ｓ１５０１）。
【００６５】
図１６は、本実施形態に係る必要機能情報の例を示す図である。図１６に示すように、必要機能情報においては「カラー」、「両面印刷位」、「集約印刷」等の画像処理装置１の機能が指定される。これらの画像処理装置１の機能の情報は、図９において説明した画像処理装置１の機種毎の機能の情報に対応している。
【００６６】
必要機能情報は、夫々のクライアント端末２においてユーザによって予め指定される。ユーザは、図１７に示すような必要機能情報設定画面において、必要な機能のチェックボックスにチェックを付けることにより必要な機能を選択する。図１７に示す必要機能情報設定画面のＧＵＩ（Ｇｒａｐｈｉｃａｌ  Ｕｓｅｒ  Ｉｎｔｅｒｆａｃｅ）は、例えば接続処理部２４４によって提供される。そして、設定された必要機能情報は、接続処理部２４４において記憶されて管理される。
【００６７】
この他、図１７に示すＧＵＩを提供する機能や、必要機能情報の記憶、管理機能をクライアントアプリケーション２０５において実現しても良い。その場合、距離計算部２４６は、Ｓ１５０１においてクライアントアプリケーション２０５から必要機能情報を取得する。
【００６８】
必要機能情報を取得すると、次に距離計算部２４６は、図６に示すように取得された電波密度の情報を参照し、ＳＳＩＤを一つ選択する（Ｓ１５０２）。そして、選択したＳＳＩＤに係る無線通信接続を提供する画像処理装置１の機能情報を参照する（Ｓ１５０３）。
【００６９】
Ｓ１５０３において距離計算部２４６は、まず図７に示す装置情報を参照し、選択したＳＳＩＤに関連付けられている“機種”を確認する。そのように確認した“機種”に基づき、図９に示す機種譲歩を参照する。
【００７０】
機種情報を参照した距離計算部２４６は、図１６に示す必要機能情報において特定されている機能が全て含まれているか否か、即ち必要な機能が不足していないか否か判断する（Ｓ１５０４）。Ｓ１５０４の判断の結果、必要な機能が全て含まれていた場合（Ｓ１５０４／ＮＯ）、距離計算部２４６は、選択中のＳＳＩＤが接続先の候補として適していると判断する。
【００７１】
他方、機能が不足していた場合（Ｓ１５０４／ＹＥＳ）、距離計算部２４６は、選択中のＳＳＩＤが接続先の候補として不適切であると判断し、接続先候補、即ち距離の計算対象から除外する（Ｓ１５０７）。距離計算部は、図６に示すように電波密度が取得された全てのＳＳＩＤについて処理が完了するまでＳ１５０２からの処理を繰り返す（Ｓ１５０８／ＮＯ）。そして、全てのＳＳＩＤについて処理が完了すると（Ｓ１５０８／ＹＥＳ）、処理を終了する。このようにして、図１４のＳ１４０４におけるＳＳＩＤの絞り込み処理が完了する。
【００７２】
ＳＳＩＤの絞り込み処理を完了した距離計算部は、絞り込みを経ても接続先の候補とするＳＳＩＤが残っているか否か確認し（Ｓ１４０５）、残っていなければ（Ｓ１４０５／ＮＯ）、Ｓ１４０１からの処理を繰り返す。他方、接続先の候補とするＳＳＩＤが残っている場合（Ｓ１４０５／ＹＥＳ）、そのＳＳＩＤについて距離を計算する（Ｓ１４０６）。
【００７３】
Ｓ１４０６において、距離計算部２４６は、上述したように、夫々のＳＳＩＤの電波密度と夫々のＳＳＩＤを提供する画像処理装置１が元々発している電波の強度とに基づいて距離Ｌを算出する。これにより、図８に示すような情報が生成され、接続先判断部２４８に入力される。
【００７４】
尚、図８に示すように、距離計算部２４６は、夫々のＳＳＩＤに加えてネットワークキー及び優先度の情報を図７に示す装置情報から取得して計算結果に関連付けて出力する。これにより、接続先判断部２４８においては、取得した情報に基づいて無線通信接続を確立することが可能となる。
【００７５】
距離計算部２４６から図８に示す情報を取得した接続先判断部２４８は、図１２において説明した範囲Ｌｔｈの設定を参照し、夫々のＳＳＩＤについて算出された距離Ｌのうち、範囲Ｌｔｈ以内のものの有無を確認する（Ｓ１４０７）。その結果、提供元の画像処理装置１が範囲Ｌｔｈ以内のＳＳＩＤが無ければ（Ｓ１４０７／ＮＯ）、Ｓ１４０１からの処理を繰り返す。
【００７６】
提供元の画像処理装置１が範囲Ｌｔｈ以内のＳＳＩＤがある場合（Ｓ１４０７／ＹＥＳ）、次に接続先判断部２４８は、範囲Ｌｔｈ以内のＳＳＩＤのうち最も距離Ｌの短いものを参照し、それが単一であるか複数であるかを確認する（Ｓ１４０８）。最近接のＳＳＩＤが複数であった場合（Ｓ１４０８／ＹＥＳ）、接続先判断部２４８は、図８に示す“優先度”を参照し、優先度の最も高いＳＳＩＤを選択する（Ｓ１４０９）。
【００７７】
最近接のＳＳＩＤが単一であった場合（Ｓ１４０８／ＮＯ）、若しくは優先度の最も高いＳＳＩＤを選択すると、接続先判断部２４８は、そのＳＳＩＤが現在接続中のＳＳＩＤであるか否か判断する（Ｓ１４１０）。抽出されたＳＳＩＤが現在接続中のＳＳＩＤであった場合（Ｓ１４１０／ＹＥＳ）、接続先判断部２４８はそのまま現在の接続を維持する。
【００７８】
他方、抽出されたＳＳＩＤが接続済みＳＳＩＤではない場合（Ｓ１４１０／ＮＯ）、接続先判断部２４８は、抽出されたＳＳＩＤによって識別される無線通信での接続を確立する（Ｓ１４１２）。即ち、Ｓ１４０７〜Ｓ１４１２の処理において、接続先判断部２４８が接続処理部として機能する。抽出されたＳＳＩＤが接続済みＳＳＩＤではない場合は、例えば抽出されたＳＳＩＤが現在接続中のＳＳＩＤとは異なる場合や、現在いずれのＳＳＩＤにも接続していない場合である。
【００７９】
Ｓ１４１２において、接続先判断部２４８は、まず図８に示す情報から対象のＳＳＩＤ及びそれに関連付けられたネットワークキーを取得してＩ／Ｆ制御部２４１に通知する。これにより、Ｉ／Ｆ制御部２４１が近距離通信Ｉ／Ｆ２２０を制御して、対象のＳＳＩＤによって識別される無線通信に接続する。
【００８０】
その後、接続先判断部２４８は、図１０において説明したユーザＩＤ及びパスワードを取得し、データ送信部２４３にログイン要求を送信させる。これにより、クライアント端末２は、接続が確立されたＳＳＩＤを提供している画像処理装置１に対してログインし、画像処理装置１の機能を利用することが可能な状態となる。
【００８１】
対象のＳＳＩＤに接続し、画像処理装置１にログインした接続先判断部２４８は、その画像処理装置１の状態を、ネットワークを介して画像処理装置１に問い合わせて取得する（Ｓ１４１３）。接続した画像処理装置１の状態を取得した接続先判断部２４８は、接続先の画像処理装置１において障害が発生していないか否かを判断し（Ｓ１４１４）、障害が発生していなければ（Ｓ１４１４／ＮＯ）、そのまま接続を維持する。
【００８２】
他方、接続先の画像処理装置１において障害が発生していた場合（Ｓ１４１４／ＹＥＳ）、接続先判断部２４８は、現在接続中のＳＳＩＤを接続先の候補から除外した上で、再度図８の情報を参照する（Ｓ１４１５）。そして、Ｓ１４０７からの処理を繰り返す。これにより、他に対象となるＳＳＩＤがあればそのＳＳＩＤに対して接続が実行されることとなる。
【００８３】
いずれかのＳＳＩＤとの間で接続が確立された後、クライアント端末２においては、端末の移動が検知される（Ｓ１４１１）。Ｓ１４１１の処理は、例えば、接続処理部２４４が、クライアント端末２に搭載されている加速度センサや位置センサ等の検知結果を参照することにより実行される。
【００８４】
そして、端末が移動したことが検知されると（Ｓ１４１１／ＹＥＳ）、Ｓ１４０１からの処理が繰り返し実行され、図１３において説明したように、移動した先で最も近い画像処理装置１が提供するＳＳＩＤに接続が切り替えられる。このような処理により、本実施形態に係るクライアント端末２による無線接続機能の動作が行われる。
【００８５】
このように、本実施形態に係る画像処理システムによれば、クライアント端末２が電波を受信可能な無線通信の電波に基づき、各無線通信を提供している画像処理装置１との距離を計算する。そして、所定の範囲Ｌｔｈ以内の画像処理装置１によって提供されている無線通信に接続する。また、複数存在する場合には最も近い画像処理装置１によって提供されている無線通信に接続する。
【００８６】
このような構成により、意図した画像処理装置１との間で無線通信接続を確立するために、ユーザはクライアント端末２を保持して対象の画像処理装置１に近づくだけで良い。従って、無線接続機能を提供する複数の画像処理装置が存在する場合において、情報処理端末から画像処理装置への無線接続時の操作負担を軽減することが出来る。
【００８７】
尚、上記実施形態においては、範囲Ｌｔｈ内に存在する画像処理装置１のうち、最も近い画像処理装置１に接続する場合を例として説明した。しかしながらこれは一例であり、例えば複数の画像処理装置１が範囲Ｌｔｈに対して夫々十分離れて配置されていれば、Ｓ１４０８にいて複数の画像処理装置１が同時に抽出されることは無い。
【００８８】
従って、受信可能な無線通信接続の電波に基づいて電波の発信元との距離を計算し、その計算結果が所定の範囲Ｌｔｈ以内である発信元によって提供される無線通信接続との間で接続を確立する態様であれば、本実施形態に趣旨を達成することが可能である。そして、上記実施形態においては、夫々の画像処理装置１との距離の計算結果を重視し、距離が同一であった場合に優先順位を判断する場合を例として説明したが、優先順位を重視する態様でも良い。
【００８９】
また、上記実施形態においては、図１６において説明した必要機能情報を判断し、必要機能を満たしていない画像処理装置１は完全に対象外とする場合を例として説明した。しかしながらこれは一例であり、例えば、絞り込んだ結果、対象のＳＳＩＤがゼロとなってしまう場合には、機能を満たしていない画像処理装置１を対象としても良い。
【００９０】
そのような場合において、必要機能に重要度を設定し、必要機能を満たしていない画像処理装置１であっても、満たしていない機能の重要度が低い場合には接続対象とする態様が考えられる。そのような態様により、必要機能を満たしていない場合であっても、ユーザの利便性の低下を抑えることが出来る。
【００９１】
図１８は、重要度が設定された必要機能情報の例を示す図である。図１８の例においては、必ず満たされる必要のある機能には“必須”、Ｓ１５０４において一次的に判断され、その結果機能を満たす画像処理装置１がゼロである場合に判断対象から除外可能なものを“推奨”が付されている。このような設定は、図１７において説明したＧＵＩ上に選択欄を設けることにより容易に可能である。
【００９２】
また、上記実施形態においては、Ｓ１４１１においてクライアント端末２の移動が検知された場合にＳ１４０１からの処理が繰り返される場合を例として説明した。しかしながらこれは一例であり、例えばＳ１４１１の判断を行うことなく、所定期間毎にＳ１４０１からの処理が実行されるようにしても良い。これにより、クライアント端末２の無線通信接続の接続先は所定期間毎に最新の状態に保たれることとなる。
【００９３】
また、上記実施形態においては、Ｓ１４１２において接続が確立された直後にのみ、接続先の画像処理装置１の障害状態を確認する場合を例として説明した。この他、接続が維持されている観であっても所定期間毎に障害状態を確認しても良い。これにより、ある画像処理装置１によって提供されたＳＳＩＤに接続した後に、その画像処理装置１に障害が発生した場合に、他の正常な画像処理装置１に自動的に接続されることとなり、ユーザの利便性を高めることが出来る。
【００９４】
また、上記実施形態においては、クライアント端末２がＳＳＩＤ及びネットワークキーに基づいて画像処理装置１との間で無線通信接続を確立した後、ユーザＩＤ及びパスワードを用いて画像処理装置１にログインする態様を例として説明した。しかしながらこれは一例であり、例えばユーザＩＤ及びパスワードを用いて画像処理装置１にログインすることによりセキュリティが保たれているのであれば、無線通信接続の確立に際してはネットワークキーを求めず、公開された無線通信接続を用いても良い。他方、ネットワークキーによる接続認証を求める場合には、ユーザＩＤ及びパスワードによる画像処理装置１へのログイン認証を省略しても良い。
【符号の説明】
【００９５】
１  画像処理装置
２  クライアント端末
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  主制御部
１０２  エンジン制御部
１０３  入出力制御部
１０４  画像処理部
１０５  操作表示制御部
１１０  ＡＤＦ
１１１  入出力部
１１２  デバイス管理部
１１３  デバイスＤＢ
１１４  ジョブ管理部
１１５  ジョブＤＢ
１１６  距離計算部
１１７  距離判断部
１２０  スキャナユニット
１３０  排紙トレイ
１４０  ディスプレイパネル
１５０  給紙テーブル
１６０  プリントエンジン
１７０  排紙トレイ
１８０  ネットワークＩ／Ｆ
１９０  近距離通信Ｉ／Ｆ
２００  コントローラ
２０１  ネットワーク制御部
２０２  操作制御部
２０３  表示制御部
２０４  近距離通信制御部
２０５  クライアントアプリケーション
２１０  ネットワークＩ／Ｆ
２２０  近距離通信Ｉ／Ｆ
２４１  Ｉ／Ｆ制御部
２４２  データ受信部
２４３  データ送信部
２４４  接続処理部
２４５  電波密度計算部
２４６  距離計算部
２４７  装置情報ＤＢ
２４８  接続先判断部
２４９  認証情報ＤＢ
【先行技術文献】
【特許文献】
【００９６】
【特許文献１】特開２００２−７７１７７号公報
【図１】
2016161977.tif 000005
【図２】
2016161977.tif 000006
【図３】
2016161977.tif 000007
【図４】
2016161977.tif 000008
【図５】
2016161977.tif 000009
【図６】
2016161977.tif 000010
【図７】
2016161977.tif 000011
【図８】
2016161977.tif 000012
【図９】
2016161977.tif 000013
【図１０】
2016161977.tif 000014
【図１１】
2016161977.tif 000015
【図１２】
2016161977.tif 000016
【図１３】
2016161977.tif 000017
【図１４】
2016161977.tif 000018
【図１５】
2016161977.tif 000019
【図１６】
2016161977.tif 000020
【図１７】
2016161977.tif 000021
【図１８】
2016161977.tif 000022